(57)【要約】      （修正有）【課題】前腕で用いる家具作用式吊り紐による荷物運搬装置を提供する。【解決手段】荷物運搬装置は、端部を有する第１および第２の細長い吊り紐と、端部によって画成される平面内に配置され、平面内に配置される複数の開口部を画成するように吊り紐の長さに沿って間隔の空いた、各端部における複数の環とを備える。さらに、各吊り紐は吊り紐端部の間に配置される中間部を有し、２つの吊り紐の中間部が運搬されるべき荷物の下を延びるように配置され、それによって、吊り紐中間部を持ち上げるべく、持ち上げ力の行使によって荷物を持ち上げるために、使用者が環のどれを当該使用者の前腕を横切って延ばすべきかを選択できる。少なくとも１つの吊り紐の１つまたは複数の端部のところに、少なくとも４つの開口部が存在する。【選択図】図３
2008094620.tif 000002
【特許請求の範囲】
【請求項１】
荷物運搬装置であって、
ａ）端部を有する第１および第２の細長い吊り紐と、
ｂ）各端部における複数の環状部であって、当該複数の環状部は、前記端部によって画成される平面内に配置され、前記吊り紐の長さに沿って間隔が空けられて、前記平面内に配置される複数の開口部を画成する、複数の環状部と、
ｃ）中間部を有する各吊り紐であって、前記中間部は前記吊り紐の端部の間に配置され、２つの前記吊り紐の中間部が、運搬されるべき荷物の下を延びるように配置される吊り紐と、の組合せから構成されており、
ｄ）それによって、前記吊り紐の中間部を持ち上げるべく、持ち上げ力の行使によって前記荷物を持ち上げるために、前記環状部の何れが使用者の前腕を横切って延ばすべきかを、前記使用者が選択することができ、
ｅ）前記開口部の少なくとも４つが、ｉ）少なくとも１つの吊り紐における、一つまたは複数の前記端部のところに、存在する、荷物運搬装置。
【請求項２】
請求項１に記載の装置において、前記開口部が両方の吊り紐の前記端部のところにある、装置。
【請求項３】
請求項１に記載の装置において、第４の環状部が帯紐によって画成され、また前記第４の環状部の内側のところで、前記帯紐の上に掛けられて延びる上掛け用の繊維製クッションを含む、装置。
【請求項４】
請求項３に記載の装置において、前記上掛け用繊維製クッションが、前記第４の環状部の両縁部の上で折り畳まれ、細長い間隔を空けたバンドとして延び、当該バンドは、前記環状部の側面のうちの１つの側面のところで、前記帯紐に取り付けられる、装置。
【請求項５】
請求項４に記載の装置において、縫い合わせを含んでおり、当該縫い合わせは、前記バンドを前記帯紐に取り付け、かつ前記繊維製クッションを前記環状部の前記内側にも取り付ける、装置。
【請求項６】
請求項１との組合せであって、前記中間部が全体として平行な関係で延びる、組合せ。
【請求項７】
請求項６との組合せであって、前記平行な中間部の上に延びる前記荷物を含む、組合せ。
【請求項８】
請求項７との組合せであって、前記吊り紐が前記荷物の複数の側面で上向きに延び、複数の前記端部のなかから選択された複数の開口部を介して、上向きの力が加えられる、組合せ。
【請求項９】
請求項１との組合せであって、前記中間部が交差する形態で延びる、組合せ。
【請求項１０】
請求項９との組合せであって、前記交差中間部の上に延びる前記荷物を含む、組合せ。
【請求項１１】
請求項１０との組合せであって、前記吊り紐が前記荷物の複数の側面のところで、上向きに延び、前記端部のなかから選択された複数の開口部を介して、上向きの力が加えられる、組合せ。
【請求項１２】
請求項１との組合せであって、前記４つの開口部が、前記吊り紐材の厚さ方向において、当該吊り紐材を通って延びる、組合せ。
【請求項１３】
請求項４との組合せであって、１つまたは複数のビニール製裏張層を含んでおり、当該裏張層は、前記帯紐に取り付けられ、また前記帯紐と前記上掛け用繊維製クッションとの間に配置され、また前記第４の環状帯紐の両側の縁部上で折り畳まれる、組合せ。
【請求項１４】
請求項１３に記載の装置において、第４の環状帯紐が、前記ビニール製裏張とは独立して、第３の環状帯紐と端と端を接して統合される、装置。
【請求項１５】
請求項４に記載の装置において、各吊り紐端部のところの各環状部が、請求項４に規定されるような形態を有する、装置。
【発明の詳細な説明】
【技術分野】
【０００１】
この発明は、要素または物体を運搬するための吊り紐、より詳しくは２人で運搬するために物体を支持するように、物体に配置できる吊り紐装置に関する。
【背景技術】
【０００２】
大きくかつ重い物体を移動させるために、通常２つの異なるタイプのよく知られた台車要素が存在する。台車装置の１つのタイプは、単に４つの支持車輪を有する台である。好ましい実施形態では、この車輪は通常は全て台車を事実上任意の方向に容易に移動させることができるキャスタである。移動すべき物体を台車の上に配置し、次いで台車および物体を移動させる。
【０００３】
台車装置の第２のタイプは、通常手押車として知られている。手押車タイプの台車装置は一般に、１対の車輪と、この２つの車輪の間に配置される板であって、この板に全体的に垂直に延びる把手組立体を有する板を含む。この手押車タイプの台車装置は、移動させるために物体を板および運搬把手に固定するための紐を含むことができる。手押車タイプの装置に関する様々な他の実施形態が存在する。
【特許文献１】米国特許第６０３９３７６号
【発明の開示】
【発明が解決しようとする課題】
【０００４】
上記で説明した２つの台車のどちらも、全ての種類の物体を移動させるのに一般に満足すべきものではなく、例えばそれらのどちらも、大型衣裳だんす、または例えば食器棚などの比較的大きな物体を移動させるのに便利に使用することができない。大型衣裳だんすおよび食器棚などの物体は一般に、何らかの方法でそれらをしっかり握っている２人またはそれ以上の人間によって移動されることになる。
【課題を解決するための手段】
【０００５】
本発明の改善された装置は、２本の吊り紐装置を備え、この吊り紐は輸送すべき物体の底部のところで使用され、吊り紐要素は外向きに、輸送すべき物体の両側面に沿って移動する。この吊り紐要素の「端部」は、腕と係合させるための（１６などの）多数の別々のかつ選択可能な運搬用把手を備える。物体の異なる寸法を考慮して適切な把手を選択することによって、（２人の作業者などの）物体運搬者が吊り紐装置を適切な長さに調整することが可能になる。この吊り紐装置は、大きな寸法および／または重い重量の物体の２人の人間によるような運搬を、簡単かつ効率的に容易にする。
【０００６】
本明細書で開示され特許請求の範囲に記載される発明は、吊り紐の部分的に重なる形態が輸送すべき物体の底部中央のところに配置するように使用されるとき、基本的な「Ｘ」などの支持部を含む吊り紐要素を備える。同様に、明らかになるように、吊り紐は平行な形態で使用し、輸送すべき物体の両端のところで、かつ底部のところに配置することができる。基本的な平行または底の「Ｘ」部から外向きに延びる吊り紐要素は、輸送すべき物体の両側面に配置される。この外向きに延びる吊り紐によって、運搬される物体用に個々にかつ適切に寸法設定される吊り紐装置の多数の、選択可能な把手が可能になる。吊り紐の端部のところにある運搬把手の使用によって、物体は２人によって用意に運搬できるようになる。
【０００７】
本発明の目的の中には以下のものがある。
各吊り紐端部に少なくとも４つの把手を有する、物体を運搬するための新規かつ有用な吊り紐装置を提供することである。
【０００８】
運搬すべき物体の両底端部または中央それぞれに配置される平行または「Ｘ」の基本的な形態を有する、新規かつ有用な吊り紐装置を提供すること、
運搬すべき物体の底部および両側面に配置される吊り紐要素を有する、新規かつ有用な吊り紐装置を提供することである。
【０００９】
第４の開口部または環状部を各吊り紐部の端部のところに設け、この環状部が帯紐によって画成され、かつ第４の環状部の内側のところで帯紐に隣接して延びる上掛け用繊維製クッションを含むことである。
【００１０】
環状部の片側または両側のところの帯紐に取り付けられる細長いバンドを設けるために、帯紐の両縁部の上に折り目を有する上掛け用繊維製クッションの折畳み部を設けることである。
【００１１】
上掛け用の繊維によるクッション効果を減少させることなく、かつ荷物の繰り返し持ち上げの下で、その繊維の変位のない補強のための、帯紐と上掛け用の繊維製クッションとの間に配置するように帯紐に取り付けられ、第４の環状部帯紐の縁部の上に折り畳まれるビニール製の裏張り材などの補強用裏張層またはその複数の層を設けることである。
【００１２】
様々な形態の物体を２人で運搬するのを可能にする、新規かつ有用な吊り紐装置を提供することである。
物体の持ち上げ輸送に最も良く適合するように作業者の腕によって選択的に係合するための、吊り紐によって画成され、吊り紐の長さに沿って異なる位置にある少なくとも４つの開口部を設けることである。
【００１３】
本発明のこれらおよび他の目的と利点、ならびに図示の実施形態の詳細は、以下の明細書および図面からより完全に理解されるであろう。
【発明を実施するための最良の形態】
【００１４】
図１および図２を参照すると、米国特許第６０３９３７６号に開示されているように、２本の同一の運搬吊り紐装置１および１０が提供され、運搬吊り紐装置１および１０は一般に、位置２および３のところにあるような多数の前腕用把手を含む。各々の側の把手の任意の１つを、以下で図１乃至図６とともに論じるように、使用者は運搬すべき品目に応じて選択することができる。環状紐材１０１は、使用する際に把手が使用者の前腕に適合するように、各把手開口部を取り囲む。一例として、３つの把手開口部１００が、直列に吊り紐１の各端部のところと、吊り紐１０の各端部のところとに設けられる。
【００１５】
吊り紐基部４および５から外向きに延びて、横腹すなわち中間吊り紐部６、７、８および９が存在する。これらの中間吊り紐部６、７、８および９は、前腕用把手２および３へ延びる。この前腕用把手２および３は、使用する際に各々の個々の吊り紐１および１０の荷物運搬長さを調整するために使用される。
【００１６】
吊り紐１は、吊り紐１０と同一である。吊り紐１および１０は、各々が符号４および５のところに１つの基部のみ有する。外向きに、すなわち基部４および５からの吊り紐に沿って横腹または中間部６、７、８および９が存在する。これら中間部６、７、８および９は、前腕用把手部２および３に向かって延びる。
【００１７】
吊り紐１および１０の有効長は、前腕用把手２および３のところで調整または変更することができる。吊り紐の有効長は、運搬すべき荷物の寸法および形状によって簡単に変更できる。各々の吊り紐端部に近接する３つの把手を使用することによって、使用する際の吊り紐の有効長を簡単にかつ迅速に調整する能力が高められる。
【００１８】
図５の平行吊り紐形状１１、および図３の「Ｘ」吊り紐形状１２の２本立てで、この吊り紐は運搬すべき荷物の基部から６、７、８および９のところで外向きに延びる。吊り紐基部４および５（図３）と横腹部（図４）の間の使用区別は、上記で示したように、１３および１４のところなどの運搬される荷物の寸法および形状によって変わる。
【００１９】
前腕用把手部２および３は、肩から肘１６まで、かつ肘から手の平までの腕１７を一緒に約４５度の角度にして、肘１５直下の使用者の前腕に調整可能に固定される。図６を参照されたい。次いで手１８および１９が自由になり、運搬中に荷物の安定性を高めるために使用される。
【００２０】
図４および図６はそれぞれ、よく知られているように運搬するのに相当に重くかつ扱い難い荷物である食器棚および大型衣裳だんすの運搬における、運搬吊り紐装置１および１０の使用を示す。図４および図６は、食器棚および大型衣裳だんす周りにそれぞれ配置された、吊り紐装置１および１０を示す斜視図である。図３および図５はそれぞれ、食器棚および大型衣裳だんすの下の吊り紐装置１および１０の底部平面図である。
【００２１】
図４および図６では、吊り紐装置１および１０は運搬される荷物に対して下側かつ中心に配置されている。図３および図５も参照されたい。吊り紐１および１０の横腹部６、７、８および９は次いで、荷物の両側面に沿って上向きに延びる。次いで、前腕用把手または入口部が荷物を運搬するために、吊り紐装置１および１０の使用者によって選択される。
【００２２】
吊り紐装置１および１０の全体の長さは、物体の寸法がどのようなものであれ、使用者にその物体を運搬するために便利な吊り紐装置１および１０の長さをもたらすように、各々の吊り紐１および１０の各側の１つの前腕入口部２および３を選択することによって決めることができる。
【００２３】
大型衣裳だんす１４および食器棚１３は、運搬するのに重量および寸法において相当に重くかつ扱い難い。吊り紐装置１および１０を用いる場合は、荷物が図４および図６に示すように垂直な位置にあるとき、吊り紐の基部４および５は荷物の底部、図３および図５のところに配置される。荷物の重量自体が横腹吊り紐部内で荷物を安定化させるのを助けるように、次いで、横腹吊り紐部６、７、８、および９は、図４および図６の荷物の側面に沿って、前腕用把手すなわち入口２、３まで延びる。
【００２４】
異なって構成される使用方法および荷物を、図３、図４、図５および図６にわたって示す。図３および図４はやはり、使用での「Ｘ」または交差形吊り紐形状および運搬される荷物としての食器棚を示す。図３は、吊り紐装置内に配置されている、運搬するのに一般に重くかつ扱い難い食器を棚１３に示す、図４の線３−３に全体的に沿った底面図である。図４は、運搬吊り紐装置内の食器棚１３の斜視および立面図である。
【００２５】
図５および図６も、運搬される荷物としての大型衣裳だんすについての使用の平行方法を示す。図５は、運搬するのに一般に重くかつ扱い難い大型衣裳だんす１４の図６の線５−５に全体的に沿った底面図である。図６は、運搬吊り紐装置内の大型衣裳だんす１４の斜視図である。
【００２６】
上記で示したように、この吊り紐装置基部４および５は、運搬されるべき荷物、すなわち図５および図６の大型衣裳だんす１４の底部かつ中心に配置される。吊り紐１および１０の横腹吊り紐部６および７は、運搬される荷物から外向きに大型衣裳だんす１４の両側に、端部前腕入口２および３まで延びる。
【００２７】
さらにこの場合も、大型衣裳だんす１４の重量が吊り紐１および１０によって画成される枠内で、大型衣裳だんすを安定化させることを助ける。大型衣裳だんす１４の寸法および形状が食器棚１３と本質的に異なるので、吊り紐基部および吊り紐横腹部の寸法は、図３および図４の形態に対して、図５および図６の形態では異なる。
【００２８】
この場合も上記で示したように、この吊り紐の長さは、荷物が運搬されるどのような寸法および形態にも、この吊り紐装置によって荷物を運搬する個人のどのような背格好にも適合するように、前腕入口のところで調整できる。
【００２９】
所望の場合、運搬吊り紐装置１および１０は調整することができる。この吊り紐、または吊り紐部の長さの調整は、所望に応じて、吊り紐１および１０の両側の各々の端部で別々の前腕入口２および３のうちの１つを選択することにより達成できる。
【００３０】
この吊り紐装置の使用は、調整するために中央バックル２５も４つのバックル２３、２４、２６、および２７も有さないが、より効率的に調整することができるので、５つのバックル２３乃至２７および２本の吊り紐３０および３１を有する図７の吊り紐装置２２の使用よりも、迅速、容易かつ便利である。と言うよりは、最適な前腕入口部２および３を選ぶ必要があるだけである。これは図７に示されている。
【００３１】
図７は、バックルを使用し、従来技術であると見なすことができる運搬吊り紐装置２２の斜視図からなる。それに比べれば、図１乃至図６の前腕用の家具に作用（梃子作用）する吊り紐１および１０は使用するのにより迅速でかつ簡単であり、製造するのに最も安く、これは多くの状況で有利である。大型衣裳だんす、戸棚、鏡台、食器棚および他の種類の家具などの、扱いにくく、大きくかつ重い品目を、特に狭い領域内で運搬するために、図１乃至図６の前腕用の家具に作用する吊り紐１乃至１０の実施形態は相当な利点を与える。
【００３２】
吊り紐装置１および１０は、運搬すべき品目の端部に比較的近接して間隔が空いている。運搬されている品目の脚２０および２１は、安全かつ効率的に移動するように吊り紐１および１０の位置を品目１３および１４に固定する。吊り紐装置の横腹部６、７、８および９は次いで、運搬すべき品目の外側に配置される。
【００３３】
これらの構成、図３、図４、図５、および図６は、良い持ち手を欠いていること、運搬すべき品目の寸法、および時にはそれらを移動させて入れる領域が狭いことに起因して運搬するのに通常扱いにくい品目を便利に運搬するための安定性をもたらす。
【００３４】
次に図８乃至図１１を参照すると、汎用性を高めるために第４の環状部１００ａが、１つまたは複数の吊り紐の端部に設けられている。例えば、非対称荷物の場合のとき最も良く荷物を支持するよう調整するために、持ち上げるべき荷物の寸法および形状に応じて使用者は１つの腕を環状部１００ａ内に挿入し、もう１つの腕を吊り紐の反対側端部のところの３つの環状部１００内の１つに挿入することができる。各吊り紐は典型的には４つの端開口部を含む。
【００３５】
図９および図１０を参照すると、第４の環状部１００ａは、２つの平行な平らな区画２００ａおよび２００ｂを延びる高強度プラスチック製帯紐２００によって画成される。これらの区画は２００ｃのところで結合され、または統合され、それらは、荷物を運ぶために使用者の腕２０１がそれらの間に挿入されるとき、図１１で分かるように離れて広がる。
【００３６】
４つの環状部の各々は、図８乃至図１２に描きかつ示すように同じ環状部構造を各吊り紐端部のところに有することができる。
図１２から分かるように、例えばフェルトまたは他のクッション材料から構成される薄い上掛け繊維層のクッション２０２が、それらの内側面のところで帯紐区画に隣接して延びる。図１１に示すように、腕または腕の織物の環内への挿入および腕の引き出しを容易にできるように、クッションの一続きが符号２００ａおよび２００ｂの統合部に隣接する符号２０７のところで延びるように、クッション層２０２は、各区画２００ａおよび２００ｂのところの薄い帯紐層の両側の縁部２０５および２０６の上に、符号２０３および２０４のところで折り重ねられている。同様にクッション層２０２の折り畳みは、例えば図１０および図１２を見れば分かるように、区域２００ａおよび２００ｂの外側のところで、細長いバンド２１０および２１１を形成できるようなものである。これらのバンド、すなわちクッション層は、バンドに沿って長さ方向に延びる細長い縫い合わせ位置２１２および２１３のところで帯紐の側面に取り付けられる。
【００３７】
保護および補強のために、薄いビニール層２２０が帯紐とクッション層との間に挿入され、帯紐の縁部２０５および２０６の上を覆って、またはこれらの上に折り重なっており、それによって、帯紐の縁部がクッション２０２の柔らかな繊維材料内に食い込むことができないようにされる。この縫込み部は、ビニール保護層の取り除きを防止するために、２つの位置で、すなわち帯紐の両側のところでビニール層を貫通して延びる。このビニール層は、さらなるクッション性および安定性をもたらす。
【００３８】
本発明の原理が図示の実施形態で明らかにされてきたが、添付の特許請求の範囲は、本発明の真の趣旨および範囲の限度内で、改変形態の範囲に及び、かつ包含することを意図している。
【００３９】
図１１は、ビニール層とは独立して、符号２００ｅのところで、第３の環状部帯紐２００ｃおよび２００ｄとを、端と端とを接して統合している第４の環状帯紐部２００ａおよび２００ｂを示す。吊り紐端部のところの第４の環状部の各々は、図９乃至図１１に示すような環状部要素形態を有することができる。
【図面の簡単な説明】
【００４０】
【図１】本発明の装置を延ばした状態の前面図である。
【図２】本発明の図１の装置の側面図である。
【図３】図４の線３−３に全体的に沿った底部平面図である。
【図４】使用状況にある本発明の装置の斜視図である。
【図５】図６の線５−５に全体的に沿った底部平面図である。
【図６】第２の使用状況にある本発明の装置の斜視図である。
【図７】従来の吊り紐装置の斜視図である。
【図８】吊り紐端部の第４の環状部の概略図である。
【図９】縁を向けた形態での、第４の環状部の拡大図である。
【図１０】図９の線１０−１０上の立面図である。
【図１１】図９と同様な図であるが、第４の環状部を貫通して突き出ている使用者の腕の周りに広がる環状部を示す図である。
【図１２】図１０の線１２−１２上の拡大断面図である。
【符号の説明】
【００４１】
１  吊り紐
２，３  把手部
４，５  吊り紐基部
６，７，８，９  中間吊り紐部
１０  吊り紐
１３  食器棚
１４  大型衣裳だんす
１８，１９  手
２０，２１  脚
２２  吊り紐装置
２３〜２７  バックル
３０，３１  吊り紐
１００  把手開口部
１０１  環状紐材
２００  帯紐
２０１  腕
２０２  クッション
２０５，２０６  縁部
２１０，２１１  バンド
２２０  ビニール層
【図１】
2008094620.tif 000003
【図２】
2008094620.tif 000004
【図３】
2008094620.tif 000005
【図４】
2008094620.tif 000006
【図５】
2008094620.tif 000007
【図６】
2008094620.tif 000008
【図７】
2008094620.tif 000009
【図８】
2008094620.tif 000010
【図９】
2008094620.tif 000011
【図１０】
2008094620.tif 000012
【図１１】
2008094620.tif 000013
【図１２】
2008094620.tif 000014